(57)【特許請求の範囲】
【請求項１】
走査電極および維持電極からなる表示電極対とデータ電極とを有する放電セルを複数備え
たプラズマディスプレイパネルを用いて、１フィールド期間内に、上昇する傾斜波形と下降する傾斜波形とを前記走査電極に印加して全ての放電セルで初期化放電を発生させる全セル初期化期間と、前記放電セルで書込み放電を発生させる書込み期間と、維持パルス電圧を前記表示電極対に交互に印加して前記放電セルで維持放電を発生させたあと最後の維持放電を弱める電圧を前記維持電極に印加する維持期間とを有する全セル初期化サブフィールドと、緩やかに下降する傾斜波形電圧を前記走査電極に印加して前のサブフィールドで維持放電を行った放電セルで初期化放電を発生させる選択初期化期間と、前記放電セルで書込み放電を発生させる書込み期間と、維持パルス電圧を前記表示電極対に交互に印加して前記放電セルで維持放電を発生させたあと最後の維持放電を弱める電圧を前記維持電極に印加する維持期間とを有する選択初期化サブフィールドとを設けて画像を前記プラズマディスプレイパネルに表示するプラズマディスプレイパネルの駆動方法であって、
前記最後の維持放電を弱める電圧を前記維持電極に印加した後、次の選択初期化サブフィールドの前記選択初期化期間までの間、前記走査電極および前記維持電極に印加する電圧を保持する保持時間を設け、画像信号の平均輝度が高いときの前記保持時間を前記画像信号の平均輝度が低いときの前記保持時間よりも長くなるように設定するサブフィールドを備えることを特徴とするプラズマディスプレイパネルの駆動方法。
【請求項２】
走査電極および維持電極からなる表示電極対とデータ電極とを有する放電セルを複数備え
たプラズマディスプレイパネルと、画像信号の平均輝度を検出するＡＰＬ検出部と、１フィールド期間内に、上昇する傾斜波形と下降する傾斜波形とを前記走査電極に印加して全ての放電セルで初期化放電を発生させる全セル初期化期間と、前記放電セルで書込み放電を発生させる書込み期間と、維持パルス電圧を前記表示電極対に交互に印加して前記放電セルで維持放電を発生させたあと最後の維持放電を弱める電圧を前記維持電極に印加する維持期間とを有する全セル初期化サブフィールドと、緩やかに下降する傾斜波形電圧を前記走査電極に印加して前のサブフィールドで維持放電を行った放電セルで初期化放電を発生させる選択初期化期間と、前記放電セルで書込み放電を発生させる書込み期間と、維持パルス電圧を前記表示電極対に交互に印加して前記放電セルで維持放電を発生させたあと最後の維持放電を弱める電圧を前記維持電極に印加する維持期間とを有する選択初期化サブフィールドとを設けて前記プラズマディスプレイパネルを駆動する駆動回路とを備え、
前記駆動回路は、前記最後の維持放電を弱める電圧を前記維持電極に印加した後、次の選択初期化サブフィールドの前記選択初期化期間までの間、前記走査電極および前記維持電極に印加する電圧を保持する保持時間を設け、前記保持時間を前記ＡＰＬ検出部において検出した画像信号の平均輝度が高いときの前記保持時間を前記画像信号の平均輝度が低いときの前記保持時間よりも長くなるように設定することを特徴とするプラズマディスプレイ装置。
【請求項３】
最後の維持放電を弱める電圧は、維持パルス電圧より低いことを特徴とする請求項１記載のプラズマディスプレイパネルの駆動方法。
【請求項４】
最後の維持放電を弱める電圧は、維持パルス電圧より低いことを特徴とする請求項２記載のプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。
【０００３】
前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。
【０００４】
そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００５】
パネルを駆動する方法としてはサブフィールド法、すなわち、１フィールド期間を複数のサブフィールドに分割した上で、発光させるサブフィールドの組み合わせによって階調表示を行う方法が一般的である。
【０００６】
各サブフィールドは、初期化期間、書込み期間および維持期間を有し、初期化期間では初期化放電を発生し、続く書込み動作に必要な壁電荷を各電極上に形成する。初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。
【０００７】
書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００８】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた新規な駆動方法が開示されている。
【０００９】
具体的には、例えば複数のサブフィールドのうち、１つのサブフィールドの初期化期間において全ての放電セルを放電させる全セル初期化動作を行い、他のサブフィールドの初期化期間においては維持放電を行った放電セルのみ初期化する選択初期化動作を行う。その結果、表示に関係のない発光は全セル初期化動作の放電に伴う発光のみとなりコントラストの高い画像表示が可能となる。このような技術は、例えば特許文献１に記載されている。
【００１０】
上述したコントラストの高い駆動方法では選択初期化動作を確実に行うことにより、コントラストが高く、かつ確実な書込み動作が可能となっている。
【００１１】
一方、近年はパネルの高精細度化が進められているが、高精細度化のために放電セルを微細化すると非発光領域の割合が増えて単位面積あたりの発光輝度が低下する傾向がある。そのため維持パルス数を増加して輝度を向上させる検討や、放電ガスのキセノン分圧を高め発光効率を高めて輝度を向上させる検討等が進んでいる。しかしながら、キセノン分圧を高めたり維持パルス数を増加して輝度を向上させると選択初期化動作が不安定になり、続く書込み動作、維持動作も不安定になって画像表示品質が低下する可能性があることが分かってきた。加えて放電特性はパネルの温度に依存して変化するため安定した選択初期化動作が可能な温度範囲がある程度限定されるという問題点も明らかになってきた。
【特許文献１】特開２０００−２４２２２４号公報
【発明の開示】
【００１２】
本発明はこれらの課題に鑑みなされたものであり、広い温度範囲にわたって選択初期化動作を安定させることにより、輝度、コントラストが高く、画像表示品質のよいパネルの駆動方法およびプラズマディスプレイ装置を提供するものである。
【００１３】
そのために、本発明は、走査電極および維持電極からなる表示電極対とデータ電極とを有する放電セルを複数備えたパネルの駆動方法であって、緩やかに下降する傾斜波形電圧を走査電極に印加して放電セルで初期化放電を発生させる初期化期間と、放電セルで書込み放電を発生させる書込み期間と、維持パルス電圧を表示電極対に交互に印加して放電セルで維持放電を発生させたあと最後の維持放電を弱めるための電圧を維持電極に印加する維持期間とを有するサブフィールドを１フィールド期間内に複数設けて画像を表示するパネルの駆動方法であって、最後の維持放電を弱める電圧を維持電極に印加した後、次のサブフィールドの初期化期間において下降する傾斜波形電圧を走査電極に印加するまでの間、走査電極および維持電極に印加する電圧を保持する保持時間を設け、保持時間を画像信号の平均輝度、あるいはパネルの周囲の温度にもとづいて制御するものである。これにより、広い温度範囲にわたって選択初期化動作を安定させることができ、輝度、コントラストが高く、画像表示品質のよいパネルの駆動方法を提供することができる。
【発明を実施するための最良の形態】
【００１４】
以下、本発明の実施の形態におけるプラズマディスプレイ装置について、図面を用いて説明する。
【００１５】
（実施の形態）
図１は、本発明の実施の形態におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１６】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１７】
なお、パネルの構造は上述したものに限られるわけではなく、例えばストライプ状の隔壁を備えたものであってもよい。
【００１８】
図２は、本発明の実施の形態におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００１９】
図３は、本発明の実施の形態におけるパネルを駆動するための駆動回路の回路ブロック図である。プラズマディスプレイ装置１は、パネル１０、画像信号処理回路５１、データ電極駆動回路５２、走査電極駆動回路５３、維持電極駆動回路５４、タイミング発生回路５５、ＡＰＬ検出回路５７、温度推定回路５８および各回路ブロックに必要な電源を供給する電源回路（図示せず）を備えている。
【００２０】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。
【００２１】
ＡＰＬ検出回路５７は画像信号ｓｉｇの平均輝度レベル（以下、「ＡＰＬ」と略記する）を検出する。具体的には、例えば画像信号の輝度値を１フィールド期間または１フレーム期間にわたって累積する等の一般に知られた手法を用いることによってＡＰＬを検出する。
【００２２】
温度推定回路５８は、温度を検出するために用いられる熱電対等の一般に知られた素子からなる温度センサ８１を有し、温度センサ８１で検出されたパネル１０周辺の温度、本実施の形態では筐体内部の温度からパネル１０のとりうる最高温度および最低温度の推定値（以下、単に「最高推定温度」、「最低推定温度」と表記する）を算出し、その結果をタイミング発生回路５５に出力する。
【００２３】
タイミング発生回路５５は水平同期信号Ｈ、垂直同期信号Ｖ、ＡＰＬ検出回路５７が検出したＡＰＬおよび温度推定回路５８が推定した最高推定温度および最低推定温度をもとにして各回路ブロックの動作を制御する各種のタイミング信号を発生し、それぞれの回路ブロックへ供給する。そして、本実施の形態においては、最後の維持放電を弱めるための電圧を維持電極２３に印加した後、次のサブフィールドの初期化期間において走査電極２２に下降する傾斜波形電圧を印加するまでの間、放電を発生させない電圧を走査電極２２および維持電極２３に印加する保持時間を設け、その保持時間を画像信号の平均輝度、さらに必要に応じてパネル１０の周囲温度にもとづいて制御するタイミング信号を走査電極駆動回路５３および維持電極駆動回路５４に出力する。これにより、選択初期化動作を安定させ、輝度、コントラストを高める制御を行う。
【００２４】
走査電極駆動回路５３は、初期化期間において走査電極ＳＣ１〜ＳＣｎに印加する初期化電圧波形を発生するための初期化波形発生回路３００を有し、タイミング信号にもとづいて各走査電極ＳＣ１〜ＳＣｎをそれぞれ駆動する。維持電極駆動回路５４は、タイミング信号にもとづいて維持電極ＳＵ１〜ＳＵｎを駆動する。
【００２５】
また、本実施の形態では、プラズマディスプレイ装置への温度センサの取り付け位置を次のようにしている。パネル１０の背面には熱伝導シートが密着して設けられ、さらに熱伝導シートに密着してアルミシャーシが設けられている。そして、アルミシャーシには各駆動回路を備えた回路基板がボス材を介して取り付けられており、回路基板の表面に温度センサが取り付けられている。
【００２６】
次に、パネル１０を駆動するための駆動電圧波形とその動作について説明する。プラズマディスプレイ装置１は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００２７】
初期化期間では初期化放電を発生し、続く書込み放電に必要な壁電荷を各電極上に形成する。このときの初期化動作には、全ての放電セルで初期化放電を発生させる全セル初期化動作と、維持放電を行った放電セルで初期化放電を発生させる選択初期化動作とがある。
【００２８】
書込み期間では、発光させるべき放電セルで選択的に書込み放電を発生し壁電荷を形成する。そして維持期間では、輝度重みに比例した数の維持パルスを表示電極対に交互に印加して、書込み放電を発生した放電セルで維持放電を発生させて発光させる。このときの比例定数を輝度倍率と呼ぶ。なお、サブフィールド構成の詳細については後述することとし、ここではサブフィールドにおける駆動電圧波形とその動作について説明する。
【００２９】
図４は、本発明の実施の形態におけるパネル１０の各電極に印加する駆動電圧波形図である。図４には、全セル初期化動作を行うサブフィールドと選択初期化動作を行うサブフィールドとを示している。
【００３０】
まず、全セル初期化動作を行うサブフィールドについて説明する。
【００３１】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。
【００３２】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００３３】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「ランプ電圧」とも記す）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００３４】
続く書込み期間では、維持電極ＳＵ１〜ＳＵｎに電圧Ｖｅ２を、走査電極ＳＣ１〜ＳＣｎに電圧Ｖｃを印加する。
【００３５】
次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３６】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００３７】
続く維持期間では、まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００３８】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３９】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００４０】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧の一部または全部を消去している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００４１】
このように、最後の維持放電、すなわち消去放電を発生させるための電圧Ｖｓを走査電極ＳＣ１〜ＳＣｎに印加した後、表示電極対の電極間の電位差を緩和するための電圧Ｖｅ１を維持電極ＳＵ１〜ＳＵｎに印加する。こうして維持期間における維持動作が終了する。
【００４２】
次に、選択初期化動作を行うサブフィールドの動作について説明する。
【００４３】
選択初期化期間では、放電を発生させない電圧を走査電極および維持電極に印加する時間（以下、この時間を保持時間Ｔｓと表記する）を設けるために、本実施の形態においては、まず直前の維持期間の最後に各電極に印加した電圧を保持時間Ｔｓの間、継続して印加する。すなわちデータ電極Ｄ１〜Ｄｍに０（Ｖ）を印加し、走査電極ＳＣ１〜ＳＣｎに維持パルス電圧Ｖｓを印加し、維持電極ＳＵ１〜ＳＵｎに電圧Ｖｅ１を印加する。
【００４４】
そして、保持時間Ｔｓの経過の後、維持電極ＳＵ１〜ＳＵｎに電圧Ｖｅ１を、データ電極Ｄ１〜Ｄｍに０（Ｖ）をそれぞれ印加したまま、走査電極ＳＣ１〜ＳＣｎに電圧Ｖｉ３’から電圧Ｖｉ４に向かって緩やかに下降するランプ電圧を印加する。
【００４５】
すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００４６】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００４７】
なお、詳細は後述するが、本実施の形態においては、保持時間Ｔｓは直前のサブフィールドの輝度重み、画像信号のＡＰＬ等にもとづいて制御している。
【００４８】
続く書込み期間の動作は全セル初期化動作を行うサブフィールドの書込み期間の動作と同様であるため説明を省略する。続く維持期間の動作も維持パルスの数を除いて同様である。
【００４９】
次に、本実施の形態におけるパネルの駆動方法のサブフィールド構成について説明をする。図５は、本発明の実施の形態におけるパネルの駆動波形の１フィールドの概略を示す図である。本実施の形態においては、１フィールドを１０のサブフィールド（第１ＳＦ、第２ＳＦ、・・・、第１０ＳＦ）に分割し、各サブフィールドはそれぞれ（１、２、３、６、１１、１８、３０、４４、６０、８０）の輝度重みを持つと仮定して説明する。また、サブフィールドのそれぞれは、初期化期間に全セル初期化動作を行うサブフィールド（以下、「全セル初期化サブフィールド」と略記する）か、初期化期間に選択初期化動作を行うサブフィールド（以下、「選択初期化サブフィールド」と略記する）かのどちらかである。本実施の形態においては、第１ＳＦが全セル初期化サブフィールド、第２ＳＦ〜第１０ＳＦが選択初期化サブフィールドであるものとして説明する。
【００５０】
本実施の形態においては、画像信号のＡＰＬにもとづき選択初期化期間の保持時間を制御するとともに、温度センサの検出した筐体内部の温度にもとづき保持時間Ｔｓを制御している。以下、温度にもとづく保持時間Ｔｓの制御方法を「駆動モード」と略記する。
【００５１】
まず、通常の温度範囲で用いる常温駆動モードにおけるＡＰＬと保持時間Ｔｓとの関係を説明する。図６は、本発明の実施の形態におけるＡＰＬと保持時間Ｔｓとの関係を示す図である。
【００５２】
本実施の形態においては表示すべき画像信号のＡＰＬにもとづいて保持時間Ｔｓの長さを制御している。ＡＰＬの値が５０％未満の画像に対しては第２ＳＦ〜第１０ＳＦの全ての選択初期化サブフィールドにおける保持時間Ｔｓは最小値の１５μｓｅｃに設定される。そしてＡＰＬの値が５０％以上６０％未満の画像に対しては第２ＳＦ〜第６ＳＦにおける保持時間Ｔｓは１５μｓｅｃ、第７ＳＦ〜第１０ＳＦにおける保持時間Ｔｓは１００μｓｅｃに設定される。そしてＡＰＬの値が６０％以上の画像に対しては第２ＳＦ〜第６ＳＦにおける保持時間Ｔｓは１５μｓｅｃ、第７ＳＦ〜第１０ＳＦにおける保持時間Ｔｓは１５０μｓｅｃに設定される。このように輝度重みの大きいサブフィールドに続く選択初期化サブフィールドの保持時間Ｔｓを長く設定し、さらにＡＰＬの値が大きい画像に対して保持時間Ｔｓが大きく設定される。
【００５３】
なお本実施の形態においては、第２ＳＦ〜第６ＳＦにおける保持時間Ｔｓを互いに等しく、第７ＳＦ〜第１０ＳＦにおける保持時間Ｔｓも互いに等しくなるように設定したが、例えば保持時間Ｔｓを輝度重みに応じて可変するような構成とし、直前のサブフィールドの輝度重みが大きいサブフィールドでは保持時間Ｔｓが長くなるように設定してもよい。またＡＰＬのとりうる値の範囲を３つに分割して、それぞれの範囲で保持時間Ｔｓを設定したが、ＡＰＬの値が大きくなるにつれて保持時間Ｔｓも長くなるように設定してもよい。
【００５４】
ここで、選択初期化動作は走査電極ＳＣ１〜ＳＣｎに緩やかに降下するランプ電圧を印加するだけであるので、データ電極Ｄ１〜Ｄｍ上の正の壁電圧を減少させるという動作しかできない。また選択初期化動作は、データ電極Ｄ１〜Ｄｍと走査電極ＳＣ１〜ＳＣｎの間、または走査電極ＳＣ１〜ＳＣｎと維持電極ＳＵ１〜ＳＵｎとの間の放電ギャップ近傍の局在した領域で初期化放電を発生させるので、何らかの理由で放電セルの周辺部等に不要な壁電荷が蓄積した場合、それら不要な壁電荷が残留したままになる可能性がある。
【００５５】
選択初期化動作は、直前のサブフィールドの維持放電において蓄積された壁電圧を調整することにより、続く書込み動作に必要な壁電圧を得る動作であるが、適切な壁電圧が形成できるかどうかは維持放電の最後の消去放電により蓄積された壁電荷の状態に大きく左右される。しかし、消去放電の終了後もそれ以前に発生した維持放電のプライミングが多数存在するので、仮にこの時点で選択初期化動作を行うと、これらプライミングの影響を受けてデータ電極Ｄ１〜Ｄｍ上の壁電荷が減少しすぎたり、各電極に重畳されるノイズ電圧の影響等により放電セル内部に不要な壁電荷が蓄積され、選択初期化動作が正常に行われない可能性がある。
【００５６】
ところが本実施の形態においては、直前のサブフィールドの消去放電が終了した後、データ電極Ｄ１〜Ｄｍ、走査電極ＳＣ１〜ＳＣｎおよび維持電極ＳＵ１〜ＳＵｎのそれぞれに印加されている電圧を所定の保持時間Ｔｓだけ保持し、プライミングが消滅した後に走査電極ＳＣ１〜ＳＣｎに緩やかに降下するランプ電圧を印加するので、直前のサブフィールドの維持放電に影響されることなく安定した選択初期化動作が可能となると考えることができる。
【００５７】
次に、常温駆動モード以外に本実施の形態において用いる低温駆動モード、高温駆動モードについて説明する。
【００５８】
パネル１０が高温または低温になると、壁電荷が動きやすくなる、またはプライミングの残留時間が長くなる等、何らかの理由で壁電荷が減少しすぎたり、不要な壁電荷が蓄積される等、選択初期化動作が正常に行われない可能性が高くなることが明らかになった。そこで本発明者らは、保持時間Ｔｓをパネル１０の温度にもとづき制御することによりこれらの現象を改善できることを見出した。そのため本実施の形態においては、パネル１０の温度に依存して複数の駆動モードを使い分けている。
【００５９】
図７は、本発明の実施の形態における保持時間Ｔｓを示す図であり、図７（Ａ）は、低温駆動モードにおける保持時間Ｔｓの一例を示す図である。低温駆動モードは、パネル１０の温度が低温であっても安定した画像表示を行うことができる駆動モードであり、例えば、プラズマディスプレイ装置が低温の環境下に設置され、かつ電源が投入された直後等、パネル１０の温度が上昇する前に用いられる駆動モードである。本実施の形態における低温駆動モードは、表示すべき画像信号のＡＰＬの値にかかわらず第２ＳＦ〜第５ＳＦにおける保持時間Ｔｓは最小値の１５μｓｅｃ、第６ＳＦにおける保持時間Ｔｓは５０μｓｅｃ、第７ＳＦにおける保持時間Ｔｓは１００μｓｅｃ、そして第８ＳＦ〜第１０ＳＦにおける保持時間Ｔｓは１５０μｓｅｃに設定される。このように比較的輝度重みの小さいサブフィールドに続く第６ＳＦにおける保持時間Ｔｓをも長く設定している。
【００６０】
図７（Ｂ）は高温駆動モードの一例を示す図である。高温駆動モードは、パネル１０の温度が高温であっても安定した画像表示を行うことができる駆動モードであり、例えば、プラズマディスプレイ装置が温度の高い環境下に設置され、さらに非常に明るい画像が表示される等して消費電力が増加し、パネル１０が高温になった場合に用いる駆動モードである。本実施の形態における高温駆動モードは、表示すべき画像信号のＡＰＬの値にかかわらず第２ＳＦ〜第６ＳＦにおける保持時間Ｔｓは最小値の１５μｓｅｃ、そして第７ＳＦ〜第１０ＳＦにおける保持時間Ｔｓは１５０μｓｅｃに設定される。
【００６１】
次に、駆動モードを切換える方法について説明する。本実施の形態においては、パネル１０の温度を直接に検出するのではなく、パネルの表示画面内に、低温駆動モードによる駆動が必要な領域が発生する可能性があるか、あるいは高温駆動モードによる駆動が必要な領域が発生する可能性があるかを推定し、その結果により駆動モードを切換えて、放電不良を抑えた画像表示を行っている。
【００６２】
図８は、本発明の実施の形態における温度センサ８１が検出した筐体内部の温度（以下、「センサ温度」と略記する）θｓとパネル１０の温度（以下、「パネル温度」と略記する）θｐとの関係を測定した結果を示す図であり、縦軸は温度を、横軸は時間を表す。この測定では、センサ温度θｓがパネル１０の局所的な温度の影響を受けにくくするために、回路基板上に、かつパネル１０に密着しないように温度センサ８１を配置した。
【００６３】
パネル１０のとりうる最低温度を推定するためには、パネル１０の温度が最も低く抑えられるような画像、すなわち全セル非発光パターンを表示し、このときパネル１０の最も低温になる領域の温度を測定し、センサ温度θｓとの差を調べればよい。
【００６４】
図８（Ａ）は、全セル非発光パターンを表示したときのパネル温度θｐとセンサ温度θｓとを示す図である。プラズマディスプレイ装置の電源投入後、センサ温度θｓは緩やかに上昇する。一方、パネル温度θｐはさらに緩やかに上昇する。これはパネル１０で放電がほとんど発生しないのでパネル１０自身の発熱が少ないためである。そして本実施の形態においては、１０分〜２０分の後、センサ温度θｓとパネル温度θｐとの差がほぼ一定となり、そのときのパネル温度θｐはセンサ温度θｓよりも約７℃低いことが分かった。そこで本実施の形態では、低温補正値ΔθＬを７℃として、センサ温度θｓから低温補正値ΔθＬを引いた温度を最低推定温度θＬとした。
【００６５】
パネル１０のとりうる最高温度を推定するためには、パネル１０の温度が最も高くなるような画像、すなわち全セル発光パターンを表示し、このときパネル１０の最も高温となる領域の温度を測定し、センサ温度θｓとの差を調べればよい。
【００６６】
図８（Ｂ）は、全セル発光パターンを表示したときのパネル温度θｐとセンサ温度θｓとを示す図である。プラズマディスプレイ装置の電源投入後、センサ温度θｓは急激に上昇する。一方、パネル温度θｐはさらに急激に上昇する。これは駆動回路の消費電力が大きいことに加えて放電によりパネル１０自身も発熱するためである。そして本実施の形態においても、１０分〜２０分の後、センサ温度θｓとパネル温度θｐとの差がほぼ一定となり、そのときのパネル温度θｐはセンサ温度θｓよりも約１０℃高いことが分かった。そこで本実施の形態では高温補正値ΔθＨを１０℃として、センサ温度に高温補正値ΔθＨを加算した温度を最高推定温度θＨとした。
【００６７】
そして本実施の形態においては、最低推定温度θＬ、最高推定温度θＨを
θＬ（ｔ）＝θｓ（ｔ）−ΔθＬｏ
θＨ（ｔ）＝θｓ（ｔ）＋ΔθＨｏ
として求める。ここで、センサ温度θｓ、最低推定温度θＬ、最高推定温度θＨが時間ｔの関数であることを明示するためにそれぞれθｓ（ｔ）、θＬ（ｔ）、θＨ（ｔ）と記した。また、ΔθＬｏ、ΔθＨｏは低温補正値ΔθＬ、高温補正値ΔθＨであり、本実施の形態においては、それぞれ上記の７℃および１０℃である。
【００６８】
図９は、本発明の実施の形態における最低推定温度θＬ、最高推定温度θＨと低温しきい値ＴｈＬ、高温しきい値ＴｈＨとの関係を示した概略図である。図面に示すように、最低推定温度θＬ（ｔ）があらかじめ設定されている低温しきい値ＴｈＬ以下であれば低温駆動モードを用いてパネルを駆動し、最高推定温度θＨ（ｔ）があらかじめ設定されている高温しきい値ＴｈＨ以上であれば高温駆動モードを用いてパネルを駆動し、それ以外のときは常温駆動モードでパネルを駆動している。
【００６９】
次に、選択初期化動作における駆動電圧波形を発生する方法について説明する。図１０は、本発明の実施の形態における走査電極駆動回路５３および維持電極駆動回路５４の回路図である。走査電極駆動回路５３は、維持パルスを発生させる維持パルス発生回路１００、初期化波形を発生させる初期化波形発生回路３００、走査パルスを発生させる走査パルス発生回路４００を備えている。
【００７０】
維持パルス発生回路１００は、走査電極ＳＣ１〜ＳＣｎを駆動するときの電力を回収して再利用するための電力回収回路１１０と、走査電極ＳＣ１〜ＳＣｎを電圧Ｖｓにクランプするためのスイッチング素子ＳＷ１１と、走査電極ＳＣ１〜ＳＣｎを０（Ｖ）にクランプするためのスイッチング素子ＳＷ１２とを有する。また、走査パルス発生回路４００は、書込み期間において走査パルスを走査電極ＳＣ１〜ＳＣｎに順次印加する。なお、走査パルス発生回路４００は、初期化期間および維持期間では維持パルス発生回路１００または初期化波形発生回路３００の電圧波形をそのまま出力する。
【００７１】
初期化波形発生回路３００は、緩やかに上昇する傾斜波形電圧を発生させるミラー積分回路３１０、および緩やかに低下する傾斜波形電圧を発生させるミラー積分回路３２０を備えている。ミラー積分回路３２０は、ＦＥＴ２とコンデンサＣ２と抵抗Ｒ２とを有し、電圧Ｖｉ４までランプ状に緩やかに低下する傾斜波形電圧を発生する。図１０には、ミラー積分回路３２０の入力端子を端子ＩＮ２として示している。全セル初期化動作で用いるミラー積分回路３１０も同様の構成である。
【００７２】
なお、本実施の形態では、初期化波形発生回路３００として実用的であり比較的構成が簡単なＦＥＴを用いたミラー積分回路を採用しているが、何らこの構成に限定されるものではなく、傾斜波形電圧を発生することができる回路であればどのような回路であってもよい。
【００７３】
維持電極駆動回路５４は、維持パルスを発生させる維持パルス発生回路２００、電圧Ｖｅ１を印加するためのスイッチング素子ＳＷ２３を備えている。維持パルス発生回路２００は、維持電極ＳＵ１〜ＳＵｎを駆動するときの電力を回収して再利用するための電力回収回路２１０と、維持電極ＳＵ１〜ＳＵｎを電圧Ｖｓにクランプするためのスイッチング素子ＳＷ２１と、維持電極ＳＵ１〜ＳＵｎを０（Ｖ）にクランプするためのスイッチング素子ＳＷ２２とを有する。
【００７４】
次に、初期化波形発生回路３００の動作について説明する。図１１は、本発明の実施の形態における選択初期化期間における走査電極駆動回路５３および維持電極駆動回路５４の動作を説明するためのタイミングチャートである。なお、ここでは、直前のサブフィールドにおいて消去放電を行う期間と続く選択初期化動作を行う期間とを期間Ｔ０〜期間Ｔ２で示した３つの期間に分割し、それぞれの期間について説明する。図４においては電圧Ｖｉ３’と電圧Ｖｓとは異なる波形を示したが、図１１では、この電圧Ｖｉ３’と電圧Ｖｓとが等しいときの例を用いて説明する。なお、以下の説明においてスイッチング素子を導通させる動作をオン、遮断させる動作をオフと表記する。
【００７５】
（期間Ｔ０）
直前のサブフィールドの維持期間における消去放電を発生させる時刻ｔ０において、維持パルス発生回路１００のスイッチング素子ＳＷ１１をオンにする。すると走査電極ＳＣ１〜ＳＣｎはスイッチング素子ＳＷ１１を通して電源ＶＳへ接続され、電圧Ｖｓにクランプされる。走査電極ＳＣ１〜ＳＣｎの電圧が急峻に電圧Ｖｓに上昇すると、走査電極ＳＣ１〜ＳＣｎと維持電極ＳＵ１〜ＳＵｎとの間の電圧差が放電開始電圧を超え維持放電が発生する。
【００７６】
（期間Ｔ１）
次に、時刻ｔ１で維持電極駆動回路５４のスイッチング素子ＳＷ２３をオンにする。すると維持電極ＳＵ１〜ＳＵｎはスイッチング素子ＳＷ２３を通して消去用の電源ＶＥへ接続されるため、維持電極ＳＵ１〜ＳＵｎの電圧は急峻にＶｅ１まで上昇する。時刻ｔ１は期間Ｔ０で発生した維持放電が収束する前、すなわち維持放電で発生した荷電粒子が放電空間内に十分残留している時刻である。そして荷電粒子が放電空間内に十分残留している間に放電空間内の電界が変化するので、この変化した電界を緩和するように荷電粒子が再配置されて壁電荷を形成する。このとき、走査電極ＳＣ１〜ＳＣｎに印加されている電圧Ｖｓと維持電極ＳＵ１〜ＳＵｎに印加されている電圧Ｖｅ１との差が小さいため、走査電極ＳＣ１〜ＳＣｎ上および維持電極ＳＵ１〜ＳＵｎ上の壁電圧が弱められる。このように、最後の維持放電は消去放電である。また、データ電極Ｄ１〜Ｄｍはこのとき０（Ｖ）に保持されており、データ電極Ｄ１〜Ｄｍに印加されている電圧と走査電極ＳＣ１〜ＳＣｎに印加されている電圧との電位差を緩和するように放電による荷電粒子が壁電荷を形成するので、データ電極Ｄ１〜Ｄｍ上には正の壁電圧が蓄積される。
【００７７】
そしてその後、走査電極ＳＣ１〜ＳＣｎには電圧Ｖｓを、維持電極ＳＵ１〜ＳＵｎには電圧Ｖｅ１を、データ電極Ｄ１〜Ｄｍには０（Ｖ）を印加したまま、時刻ｔ２まで保持する。なお、図７における保持時間Ｔｓは期間Ｔ１に等しい。そして期間Ｔ１の時間間隔、すなわち時刻ｔ１から時刻ｔ２までの時間間隔を制御することにより保持時間Ｔｓを制御することができる。
【００７８】
（期間Ｔ２）
次に、ミラー積分回路３２０の入力端子ＩＮ２を「ハイレベル」にする。具体的には入力端子ＩＮ２に、例えば電圧１５（Ｖ）を印加する。すると、抵抗Ｒ２からコンデンサＣ２に向かって一定の電流が流れ、ＦＥＴ２のドレイン電圧がランプ状に下降し、走査電極駆動回路５３の出力電圧もランプ状に下降し始める。そして、出力電圧が負の電圧Ｖａに至った後、入力端子ＩＮ２を「ローレベル」とする。
【００７９】
以上のようにして、維持期間の後の初期化期間の最初に保持時間Ｔｓを設け、その後、走査電極ＳＣ１〜ＳＣｎに対して、電圧Ｖｓから電圧Ｖａに向かって緩やかに下降するランプ電圧を印加する選択初期化動作を行うことができる。
【００８０】
以上説明したように本実施の形態においては、画像のＡＰＬにもとづき、保持時間Ｔｓを制御している。保持時間Ｔｓをこのように設定することにより、安定した選択初期化動作を行うことができる。
【００８１】
さらに、センサ温度θｓにもとづいて保持時間Ｔｓを制御しているので、パネルが低温の場合であっても、高温であっても、広い温度範囲にわたって選択初期化動作を安定させることができる。
【００８２】
なお、本実施の形態においてはパネル周囲の温度にもとづき３つの駆動モードを切換えるものとして説明したが、駆動モードの数は３に限定されるものではなく、２または４以上であってもよい。さらに温度に対して連続的に保持時間Ｔｓを制御する構成としてもよい。
【００８３】
また、本実施の形態においては、センサ温度θｓにもとづいてパネルの温度を推定する構成としたが、パネルの温度を直接検出する構成としてもよい。
【００８４】
さらに、本実施の形態においては、１フィールドを１０のサブフィールドで構成し、第１ＳＦが全セル初期化サブフィールド、第２ＳＦ〜第１０ＳＦが選択初期化サブフィールドであるものとして説明したが、サブフィールド構成が上記に限定されるものではない。図１２は、１フィールド期間内に全セル初期化サブフィールドを２回設けた本発明の他の実施の形態におけるパネルの駆動波形の１フィールドの概略を示す図であり、図１３は、本発明の他の実施の形態における保持時間Ｔｓの一例を示す図である。このサブフィールド構成は、１フィールドを１２のサブフィールド（第１ＳＦ、第２ＳＦ、・・・、第１２ＳＦ）に分割し、各サブフィールドの輝度重みは、例えばそれぞれ（１、２、４、１０、２４、３６、４０、４、１６、２２、２８、６８）であり、第１ＳＦと第８ＳＦが全セル初期化サブフィールド、その他のサブフィールドは選択初期化サブフィールドである。
【００８５】
常温駆動モードにおいては、図１３（Ａ）に示すように、例えばＡＰＬの値が３０％未満の画像に対しては第２ＳＦ〜第１２ＳＦの全てのサブフィールドにおける保持時間Ｔｓは最小値の１５μｓｅｃに設定される。そしてＡＰＬの値が３０％以上６０％未満の画像に対しては第２ＳＦ〜第６ＳＦおよび第９ＳＦにおける保持時間Ｔｓは１５μｓｅｃ、第７ＳＦ〜第８ＳＦおよび第１０ＳＦ〜第１２ＳＦにおける保持時間Ｔｓは５０μｓｅｃに設定される。そしてＡＰＬの値が６０％以上の画像に対しては第２ＳＦ〜第６ＳＦにおける保持時間Ｔｓは１５μｓｅｃ、第７ＳＦにおける保持時間Ｔｓは５０μｓｅｃ、第８ＳＦおよび第１０ＳＦ〜第１２ＳＦにおける保持時間Ｔｓは１２０μｓｅｃ、第９ＳＦにおける保持時間Ｔｓは７０μｓｅｃに設定される。
【００８６】
低温駆動モードにおいては、図１３（Ｂ）に示すように、例えば表示すべき画像信号のＡＰＬの値にかかわらず第２ＳＦ〜第５ＳＦおよび第９ＳＦにおける保持時間Ｔｓは最小値の１５μｓｅｃ、そして第６ＳＦ〜第８ＳＦおよび第１０ＳＦ〜第１２ＳＦにおける保持時間Ｔｓは１００μｓｅｃに設定される。
【００８７】
また、高温駆動モードにおいては、図１３（Ｃ）に示すように、例えば表示すべき画像信号のＡＰＬの値にかかわらず第２ＳＦ〜第６ＳＦにおける保持時間Ｔｓは最小値の１５μｓｅｃ、第７ＳＦにおける保持時間Ｔｓは５０μｓｅｃ、第９ＳＦにおける保持時間Ｔｓは７０μｓｅｃ、そして第８ＳＦおよび第１０ＳＦ〜第１２ＳＦにおける保持時間Ｔｓは１２０μｓｅｃに設定される。
【００８８】
このようにＡＰＬの値が大きい画像に対して保持時間Ｔｓが大きく設定される。また、低温駆動モードおよび高温駆動モードにおける保持時間Ｔｓは常温駆動モードにおける保持時間Ｔｓと等しいか長くなるように制御すればよい。
【００８９】
なお、本発明は、必ずしも上述のサブフィールド構成に限定されるものではなく、例えば全てのサブフィールドを選択初期化サブフィールドとする等、これ以外のサブフィールド構成であってもかまわない。
【００９０】
また、本実施の形態では、最後の維持放電を弱めるための電圧を維持電極２３に印加した後から次のサブフィールドの初期化期間において走査電極２２に下降する傾斜波形電圧を印加するまでを保持時間Ｔｓとして説明を行ったが、最後の維持放電を弱めるための電圧を維持電極２３に印加しない構成の場合には、走査電極２２に最後の維持放電を発生させるための維持パルス電圧Ｖｓを印加してから次のサブフィールドの初期化期間において走査電極２２に下降する傾斜波形電圧を印加するまでを保持時間Ｔｓとしてもよい。
【００９１】
さらに本実施の形態においては、保持時間に走査電極および維持電極に印加する電圧は、直前の維持期間の最後に各電極に印加した電圧であるものとして説明したが、本発明はこれに限定されるものではなく、保持時間に走査電極および維持電極に印加する電圧は放電を発生させない電圧であればよい。
【００９２】
なお、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００９３】
本発明のプラズマディスプレイ装置およびパネルの駆動方法は、選択初期化動作を安定させることができ、輝度、コントラストが高く、画像表示品質のよいパネルの駆動が可能となり、パネルを用いた画像表示装置等として有用である。
【図面の簡単な説明】
【００９４】
【図１】本発明の実施の形態におけるパネルの構造を示す分解斜視図
【図２】同パネルの電極配列図
【図３】同パネルを駆動するための駆動回路の回路ブロック図
【図４】同パネルの各電極に印加する駆動電圧波形図
【図５】本発明の実施の形態における１フィールドの駆動波形の概略を示す図
【図６】本発明の実施の形態におけるＡＰＬと保持時間との関係を示す図
【図７Ａ】本発明の実施の形態の低温駆動モードにおける保持時間を示す図
【図７Ｂ】本発明の実施の形態の高温駆動モードにおける保持時間を示す図
【図８Ａ】本発明の実施の形態において全セル非発光パターンを表示したとき温度センサが検出した筐体内部の温度とパネルの温度との関係を測定した結果を示す図
【図８Ｂ】本発明の実施の形態において全セル発光パターンを表示したとき温度センサが検出した筐体内部の温度とパネルの温度との関係を測定した結果を示す図
【図９】本発明の実施の形態における最低推定温度、最高推定温度と低温しきい値、高温しきい値との関係を示した概略図
【図１０】本発明の実施の形態における走査電極駆動回路および維持電極駆動回路の回路図
【図１１】同駆動回路の動作を説明するためのタイミングチャート
【図１２】本発明の他の実施の形態におけるパネルの駆動波形の１フィールドの概略を示す図
【図１３Ａ】同実施の形態の常温駆動モードにおける保持時間Ｔｓの一例を示す図
【図１３Ｂ】同実施の形態の低温駆動モードにおける保持時間Ｔｓの一例を示す図
【図１３Ｃ】同実施の形態の高温駆動モードにおける保持時間Ｔｓの一例を示す図
【符号の説明】
【００９５】
１    プラズマディスプレイ装置
１０    パネル
２１    （ガラス製の）前面板
２２    走査電極
２３    維持電極
２４，３３    誘電体層
２５    保護層
２８    表示電極対
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
５７    ＡＰＬ検出回路
５８    温度推定回路
８１    温度センサ
１００，２００    維持パルス発生回路
１１０，２１０    電力回収回路
３００    初期化波形発生回路
３１０，３２０    ミラー積分回路
４００    走査パルス発生回路
【図１】
0004613957.tif 000002
【図２】
0004613957.tif 000003
【図３】
0004613957.tif 000004
【図４】
0004613957.tif 000005
【図５】
0004613957.tif 000006
【図６】
0004613957.tif 000007
【図７Ａ】
0004613957.tif 000008
【図７Ｂ】
0004613957.tif 000009
【図８Ａ】
0004613957.tif 000010
【図８Ｂ】
0004613957.tif 000011
【図９】
0004613957.tif 000012
【図１０】
0004613957.tif 000013
【図１１】
0004613957.tif 000014
【図１２】
0004613957.tif 000015
【図１３Ａ】
0004613957.tif 000016
【図１３Ｂ】
0004613957.tif 000017
【図１３Ｃ】
0004613957.tif 000018